(57)【特許請求の範囲】
【請求項１】
インプラントの頭部若しくはインプラント内に固定可能な支台の頭部に、除去可能な歯補綴物を取り外し可能に取り付ける装置であって、収容部を備えた保定部雌型（１）を有し、前記収容部は、少なくとも２つの緊締アーム（２２）を有する円環状の保持エレメント（２）を収容し、該保持エレメント（２）は、前記保定部雌型（１）の中心軸線に沿って移動可能に配置される装置において、
前記少なくとも２つの緊締アーム（２２）が、外側に向かって円錐形に広がる周面を形成しており、前記保持エレメント（２）用の前記収容部が、異なる内径を備える２つの部分（１４，１５）を有し、これら２つの部分（１４，１５）の移行部に、前記少なくとも２つの緊締アーム（２２）が当接し、
前記移行部に、少なくとも部分的に周方向に延在する丸み付けられたウェブ（１６）が一体成形されており、前記緊締アーム（２２）の前記周面の最小直径は、前記ウェブ（１６）の最小内径よりも大きいことを特徴とする装置。
【請求項２】
前記保持エレメント（２）の前記緊締アーム（２２）は、前記保定部雌型（１）とは反対の側の内面に、アンダカット（２６）を形成する、凹んでいる丸み部を形成する凹み部（２５）を有している、請求項１記載の装置。
【請求項３】
前記ウェブ（１６）に、前記緊締アーム（２２）が、その円錐形の周面で当接する、請求項１又は２記載の装置。
【請求項４】
前記緊締アーム（２２）は、外側に段部（２７）を有し、該段部（２７）は、前記保持エレメント（２）の所定の場所で、前記少なくとも部分的に周方向に延在するウェブ（１６）に当接する、請求項３記載の装置。
【請求項５】
前記保持エレメント（２）は、雄ねじ山（２３）を有し、該雄ねじ山（２３）は、前記収容部に配置された雌ねじ山（１３）に噛み合い、該雌ねじ山（１３）を介して前記保持エレメント（２）が前記保定部雌型（１）の中心軸線に沿って回転させられることにより、前記保持エレメント（２）は移動することができる、請求項１から４までのいずれか１項記載の装置。
【請求項６】
前記保定部雌型（１）の収容部には、前記中心軸線に沿って前記保持エレメント（２）に軸方向に突出する柱体（１７）が一体成形されている、請求項１から５までのいずれか１項記載の装置。
【請求項７】
前記柱体（１７）は、その自由端部においてドーム形に形成されている、請求項６記載の装置。
【請求項８】
前記保持エレメント（２）は、口腔安定性の貴金属又はチタン／チタン合金又は口腔安定性のプラスチックから製造されている、請求項１から７までのいずれか１項記載の装置。
【請求項９】
インプラントに固定可能な支台（３）と、該支台（３）に取付け可能な、請求項１から８までのいずれか１項記載の装置とを有している歯科インプラントシステムであって、
前記支台（３）の端部側に、頭部（３１）が一体成形されており、該頭部（３１）は、柱状部分（３２）を有し、該柱状部分（３２）は端部側で、直径が拡大され周方向に丸み付けされた部分（３３）に移行しており、これによりアンダカット（３４）が形成されており、前記緊締アーム（２２）の前記凹み部（２５）は、前記インプラント（３）の頭部（３１）の外側輪郭に対応しており、前記緊締アーム（２２）は、前記保定部雌型（１）の取付け状態において、前記頭部（３１）のアンダカット（３４）に係合することを特徴とする、歯科インプラントシステム。
【請求項１０】
前記支台（３）の頭部（３１）が、前記柱状部分（３２）の、前記丸み付けされた部分（３３）とは反対の側に、直径を拡大されたカラー（３５）を有し、該カラー（３５）の外径は、該カラー（３５）に取り付けられる前記保定部雌型（１）の端部側の内径に実質的に等しい、請求項９記載の歯科インプラントシステム。
【請求項１１】
前記頭部（３１）の前記柱状部分（３２）から、直径が拡大された前記カラー（３５）への移行部は、円曲部（３６）によって形成されており、前記緊締アーム（２２）は端部側で、前記円曲部（３６）に対応するように丸み付けられて形成されており、前記円曲部（３６）に前記緊締アーム（２２）は、前記保持エレメント（２）の軸方向終端位置で当接する、請求項１０記載の歯科インプラントシステム。
【請求項１２】
前記支台（３）の前記頭部（３１）に、六角成形部（３８）が設けられた固定部材（３７）が一体成形されている、請求項９から１１までのいずれか１項記載の歯科インプラントシステム。
【発明の詳細な説明】
【技術分野】
【０００１】
本発明は、請求項１の上位概念に記載の、インプラントの頭部若しくはインプラント内に固定可能な支台の頭部に、除去可能な歯補綴物を取り外し可能に取り付ける装置に関する。本発明は更に、請求項９記載の歯科インプラントシステムに関する。
【０００２】
除去可能な義歯を歯インプラントに取り付けるためには、保持エレメントが保持されている収容部を備えた保定部雌型を有する、いわゆる「スナップ（Klick）」型又は「ボールヘッド」型の歯科インプラントシステムが使用される。保定部雌型は保持エレメントと共に、インプラントに取り外し可能に固定することができるようになっており、一般にはインプラントにクリップ留めされるに過ぎない。この場合、粘膜に対する歯補綴物の所望の予荷重を生ぜしめるために、保定部雌型は、歯補綴物の補綴基部において所定の咬合状態で共重合される。インプラントにおける保定部雌型のその時々の保持力は、寸法及び材料特性がその時々で所望される保持力若しくは引き抜き力に合わせて設定された保持エレメントの選択に基づき、確定される。しかしながら、前記各構成部材のうちの１つの最小の寸法不正確さが既に、ユーザには最早、補綴物をインプラントから自力で取り外すことが不可能である程に高い引き抜き力が必要とされる事態をもたらすことがある。よって独国特許出願公開第１０２０１１０８１２１４号明細書に記載された保定部雌型並びに歯科インプラントシステムでは、前記欠点が回避されている。このためには保定部雌型に、収容部の縮小又は拡大用に配置された緊締リングが設けられている。収容部の縮小により、収容部の壁に当接している保持エレメントに所定の予荷重が加えられるか、若しくは保持エレメントを弾性変形させた状態で、全体的に半径方向側を圧縮することができる。
【０００３】
更に、スイス国特許発明第３８０２９２号明細書に記載された、インプラントに歯補綴物を取り外し可能に取り付ける装置は、保持エレメントを収容する収容部を備えた保定部雌型を有し、保持エレメントは、保定部雌型の中心軸線に沿って移動可能に配置される。
【０００４】
本発明の根底を成す課題は、保定部雌型をインプラント若しくは支台から取り外すために必要とされる引き抜き力の微調整が可能な、インプラントの頭部若しくはインプラント内に固定可能な支台の頭部に、除去可能な歯補綴物を取り外し可能に取り付ける装置を提供することにある。この課題は本発明に基づき、請求項１の特徴部に記載の構成により解決される。
【０００５】
本発明により、保定部雌型をインプラント若しくは支台から取り外すために必要とされる引き抜き力の微調整が可能な、インプラントの頭部若しくはインプラント内に固定可能な支台の頭部に、除去可能な歯補綴物を取り外し可能に取り付ける装置が提供される。少なくとも２つの緊締アームが、外側に向かって円錐形に広がる周面を形成しており、保持エレメント用の収容部が、異なる内径を備える２つの部分を有し、これら２つの部分の移行部に、前記少なくとも２つの緊締アームが当接することにより、前記保定部雌型の中心軸線に沿って前記保持エレメントが移動する際に、前記中心軸線に対する前記緊締アームの半径方向距離が変化するようになっており、これにより、引き抜き力の微調整が可能になっている。
【０００６】
本発明の改良では、保持エレメントの緊締アームは、保定部雌型とは反対の側の内面に、アンダカットを形成する、凹んでいる丸み部を形成する凹み部を有している。これにより、インプラントの頭部若しくはインプラント内に固定可能な支台の頭部の、前記凹み部に対応する部分に沿った、保定部雌型の回転案内が可能になる。
【０００７】
本発明の構成では、保定部雌型の収容部の、異なる内径を備える２つの部分の移行部に、少なくとも部分的に周方向に延在するウェブが一体成形されており、該ウェブに、保持エレメントの緊締アームが、その円錐形の周面で当接する。これにより、緊締アームの滑りガイドが得られる。
【０００８】
本発明の別の構成では、緊締アームは、外側に段部を有し、該段部は、保持エレメントの所定の場所で、少なくとも部分的に周方向に延在するウェブに当接する。これにより、保定部雌型の中心軸線に沿った保持エレメントの移動の制限が生ぜしめられている。
【０００９】
本発明の更に別の構成では、保持エレメントは、雄ねじ山を有し、該雄ねじ山は、収容部に配置された雌ねじ山に噛み合い、該雌ねじ山を介して保持エレメントが保定部雌型の中心軸線に沿って回転させられることにより、保持エレメントは移動することができる。これにより、引き抜き力の微調整が支援されている。本発明の改良において、保定部雌型の収容部には、中心軸線に沿って保持エレメントに軸方向に突出する柱体が一体成形されている。これにより、インプラントの頭部における保定部雌型の規定された位置決めを保証するストッパが得られる。
【００１０】
本発明の改良では、柱体は、その自由端部においてドーム形に形成されている。これにより、インプラントの頭部における保定部雌型の旋回があらゆる方向に可能になることで、各取付け状況に対する正確な適合が達成される。
【００１１】
本発明の根底を成す課題は更に、インプラント内に固定可能な支台と、該支台に取付け可能な、保定部雌型を支台から取り外すために必要とされる引き抜き力の微調整を可能にする前記形式の装置とを有する歯科インプラントシステムを提供することにある。この課題は本発明に基づき、請求項９記載の特徴を有する歯科インプラントシステムにより解決される。
【００１２】
本発明により、インプラント内に固定可能な支台と、該支台に取付け可能な、保定部雌型を支台から取り外すために必要とされる引き抜き力の微調整を可能にする前記形式の装置とを有する歯科インプラントシステムが提供されている。緊締アームが、凹んでいる丸み部を形成する凹み部で、支台の頭部の、直径が拡大されて周方向に丸み付けされた部分を収容しており、これにより、良好な回転ガイドが得られている。この場合、緊締アームは端部側で柱状部分に当接しており、これにより更に良好な支持が生ぜしめられている。緊締アーム内に配置されたアンダカットが、支台の頭部に配置されたアンダカットに、保定部雌型が取り付けられた状態で係合することによって、更なる位置固定が達成されている。
【００１３】
本発明の改良では、支台の頭部が、柱状部分の、丸み付けされた部分とは反対の側に、直径を拡大されたカラーを有し、該カラーの外径は、これに取り付けられる保定部雌型の端部側の内径に、実質的に等しい。これにより、インプラントの頭部における保定部材のための軸方向ストッパが得られている。
【００１４】
本発明の改良では、頭部の柱状部分から、直径が拡大されたカラーへの移行部は、円曲部によって形成されており、この場合、緊締アームは端部側で、前記円曲部に対応するように丸み付けられて形成されており、前記円曲部に緊締アームは、保持エレメントの軸方向終端位置で当接する。これにより、ソフトな当たりが生ぜしめられている。
【００１５】
好適には、支台の頭部に、直径の減少された部分が一体成形されており、直径の減少された部分には、外側多角成形部、好適には外側六角成形部が設けられている。これにより、インプラント内での支台の気密な固定が可能になる。一体型のインプラントの構成の場合には、固定部材として働く直径の減少された部分の代わりに、例えば独国特許出願公開第２０１１０８１２１４号明細書に示されているようなインプラントが一体成形されていてもよい。この場合、支台はインプラントの部分である。
【００１６】
本発明の別の改良及び構成は、その他の従属請求項に記載されている。以下に、本発明の実施例を図示すると共に詳細に説明する。
【図面の簡単な説明】
【００１７】
【図１】保持エレメントを収容する保定部雌型を、当て付けられるインプラント頭部と共に概略的に示した図である。
【図２】図１に示したユニットの保持エレメントの立体図である。
【図３】歯科インプラントシステムの概略的な分解縦断面図である。
【図４】図３に示した歯科インプラントシステムを取付け状態で示す縦断面図である。
【００１８】
実施例として選択された装置は、一体的な保定部雌型１から成り、保定部雌型１は、やはり一体的に形成された保持エレメント２を収容する。当該装置は、インプラント（図示せず）内で固定可能な支台３と共に、１つの歯科インプラントシステムを形成する。
【００１９】
保定部雌型１は、本実施例では鉢状のチタン部品として形成されている。外側を取り囲むようにして保定部雌型１には、歯補綴物（図示せず）における固定用の複数のリブ１１が一体成形されている。保定部雌型１の底部１２に面した端部において、保定部雌型１の内側には雌ねじ山１３が形成されており、雌ねじ山１３に続く第１の筒状部分１４は、この第１の部分１４に比べて直径が拡大されて形成された第２の筒状部分１５に移行している。第１の筒状部分１４と、第２の筒状部分１５との間の移行部には、周方向に延在する、丸み付けられたウェブ１６が一体成形されている。底部１２の中心には、保定部雌型１の中心軸線に沿って柱体１７が一体成形されており、柱体１７の自由端部はドーム形に形成されている。柱体１７は、保定部雌型１の第１の筒状部分１４内に突出しており、この場合、柱体１７のドーム形の端部の中心点はほぼ、周方向に延在するウェブ１６の高さに配置されている。このようにして形成された内部空間は、保持エレメント２用の収容部を形成している。
【００２０】
保持エレメント２は、本実施例では一体的なプラスチック部品として形成されている。保持エレメント２は主として円環状の基部２１から成り、基部２１には、周方向に均等に６つの緊締アーム２２が一体成形されている。基部２１の外側には、保定部雌型１の雌ねじ山１３に螺入可能な雄ねじ山２３が設けられている。
【００２１】
各緊締アーム２２は互いに同一に形成されており、基部２１内へと延びるスリット２４によって互いに分離されている。周方向に配置された各緊締アーム２２は、外側を取り囲むようにして円錐形に外向きに広がる周面を形成し、該周面の最小直径は、基部２１の直径に比べて拡大されており、この場合、各緊締アーム２２は、半径方向外側にずらされて基部２１に一体成形されている。これにより、本実施例では丸み付けられて形成されている段部２７が形成されている。緊締アーム２２の、保定部雌型１とは反対の側の内面には、凹んでいる丸み部を形成する凹み部２５が設けられており、これらの凹み部２５によりアンダカット２６が形成されている。緊締アーム２２の端部側は、丸み付けされて形成されている。
【００２２】
支台３は、その上端部に頭部３１を有し、頭部３１は、柱状部分３２を備えており、柱状部分３２は端部側で、直径が拡大され周方向に丸み付けされた部分３３に移行しており、これによりアンダカット３４が形成されている。頭部３１は、柱状部分３２の、丸み付けされた部分３３とは反対の側に、柱状部分３２に比べやはり直径が拡大されたカラー３５を有し、カラー３５の外径は、保定部雌型１の第２の筒状部分１５の内径にほぼ等しい。この場合、頭部３１の柱状部分３２から、直径が拡大されたカラー３５への移行部は、緊締アーム２２の丸み付けされた端部の円曲部（Radius）に対応する円曲部若しくは丸み３６によって形成されている。カラー３５の、丸み付けされた部分とは反対の側の端部は、円錐形に間隔を狭めて延びるように形成されている。
【００２３】
インプラント３の頭部３１には固定部材３７が一体成形されており、固定部材３７には周方向に延在する六角成形部３８が設けられている。固定部材３７は公知の形式で、雄ねじ山が設けられたインプラント（図示せず）内に固定可能である。このような支台の使用は、極めてフレキシブルであるということが分かっている。それというのも、種々様々な構成の複数のインプラントに固定することができるからである。
【００２４】
保持エレメント２は、基部２１の雄ねじ山２３で、保定部雌型１の雌ねじ山１３に螺入されている。この場合、保持エレメント２の緊締アーム２２は、保定部雌型１の周方向に延在するウェブ１６に当接している。この保定部雌型１が、インプラント３の頭部３１に被せ嵌められると、緊締アーム２２の端部は保定部雌型１のウェブ１６の上側で、頭部３１の丸み付けされた部分３３が緊締アーム２２の凹み部２５に滑り込むまで、外側に向かって弾性的に動かされる。この場合、柱体１７は、支台３の頭部３１の平らな表面に載置されており、これにより、支台３における保定部雌型１の所定の軸方向位置が得られている。今や保定部雌型１は、支台３の頭部３１に回動可能に保持されている。保持エレメント２に対して保定部雌型１を相対回動させることにより、保持エレメント２は頭部３１において軸方向に見て逆の方向に移動させられ、これにより緊締アーム２２はウェブ１６に沿って滑動し、且つ緊締アーム２２の円錐形の構成に基づき保定部雌型１の中心軸線の方に動かされる。これにより、引抜き力が増大されることになる。この場合、緊締アーム２２は、柱状部分３２の平らな面に沿って滑動する。保持エレメントの終端位置では、緊締アーム２２のアンダカット２６が最大の引き抜き力で、頭部３１のアンダカット３４に係合する。
【図１】
0006440703.tif 000002
【図２】
0006440703.tif 000003
【図３】
0006440703.tif 000004
【図４】
0006440703.tif 000005